(57)【要約】【課題】  小型薄型で配置が自由な窓や扉の開閉を検出できる防犯警報装置を提供する。【解決手段】  磁気近接センサとマグネットの組合せで窓や扉等の開閉を検出する防犯警報装置で、前記磁気近接センサは、ひとつのホールＩＣとこのホールＩＣに磁気を誘導するように近接して配置した磁性材料により構成することで前記ホールＩＣが前記マグネットの磁束を検出できる範囲を広くする。【選択図】図５
2011003167.tif 000002
【特許請求の範囲】
【請求項１】
磁気近接センサとマグネットの組合せで窓や扉等の開閉を検出する防犯警報装置であり、前記磁気近接センサは、ひとつのホールＩＣとこのホールＩＣに磁気を誘導するように近接して配置した磁性材料により構成することで前記ホールＩＣが前記マグネットの磁束を検出できる範囲を広くしたことを特徴とする防犯警報装置。
【請求項２】
前記防犯警報装置を動作させるための電池の金属外装を前記磁性材料として共用したことを特徴とする請求項１の防犯警報装置。
【発明の詳細な説明】
【技術分野】
【０００１】  本発明は、窓や扉の開閉を検出して不正な侵入を通報する防犯警報装置に関するものである。
【背景技術】
【０００２】  磁気センサとマグネットを利用して窓や扉の開閉を検出する防犯警報装置の多くは、磁気センサとしてリードスイッチが採用されている。リードスイッチは、完全密封構造であるため信頼性が高く長寿命であり、小型で磁気の検出にリードスイッチ自体が電力を消費しないなどの特長がある。【０００３】  リードスイッチの２つの接点がそれぞれＳ極、Ｎ極になるような磁界が印加されると磁気の力で２つの接点が接触してスイッチが導通状態になる。この様子を示したのが図１である。このような仕組みからリードスイッチの感度は、磁界を発生するマグネットの形状や配置により大きく変化する。【０００４】  すなわち、図１に示すようにリードスイッチの接点に対して平行な磁束を発生するマグネットの配置でスイッチは導通するが、図２に示すようなリードスイッチに対して垂直方向の磁束では導通しない、従ってリードスイッチとマグネットを組み合わせて窓の開閉を検出する装置では、長さが長いマグネットをリードスイッチと平行に配置する必要があり設置場所にも制限が生じる。【０００５】  このようなリードスイッチの欠点を改善する方法として磁気センサにホールＩＣを採用する。ホールＩＣは、磁気センサであるホール素子とホール素子の出力信号をデジタル信号に変換する電子回路を１つのパッケージに実装したもので磁気センサを非常に小型にできる。【０００６】  ホールＩＣは、Ｎ極またはＳ極のどちらか一方のみを検出する片極検知タイプと、図３に示すように磁極の向きに関係なく磁界の強さによって出力がＯＮ／ＯＦＦする両極検知タイプがあり、両極検知タイプを採用すればマグネットの極性を選ばずに、しかもリードスイッチのように長いマグネットは必要なくなる。【０００７】  実際に防犯警報装置を窓に取付ける場合マグネットの位置は、磁気センサの感度範囲内に設置しなければならない、例えば図４に示すように片引き型窓のクレセント錠にマグネットを取付けクレセント錠の状態を検出することを考えた場合、左側の窓と右側の窓では磁気センサの位置が異なる。【０００８】  防犯警報装置で最も重要な機能は、大音量の警報音を発することであり、このためブザーは、最も効率的に発音できるように放音口を機器の正面に配置している。従って左右の窓で防犯警報装置の表裏を変えて設置することはできないため、それぞれを専用の装置として個別に製造するか、磁気センサを２台内蔵してどちら側にも使えるようすることが考えられるが、いずれの方式も製造コストが上昇するのが欠点である。
【発明の開示】
【発明が解決しようとする課題】
【０００９】  本発明が解決しようとする課題は、小型、薄型で取付け位置の制限が少ない磁気センサ内蔵防犯警報装置を安価に提供することである。
【課題を解決するための手段】
【００１０】  本発明では以下の手段をもって上記課題を解決する。磁気近接センサとマグネットの組合せで窓や扉等の開閉を検出する防犯警報装置で前記磁気近接センサは、ひとつのホールＩＣとこのホールＩＣに磁気を誘導するように近接して配置した磁性材料により構成することで前記ホールＩＣが前記マグネットの磁束を検出できる範囲を広くする。【００１１】  前記防犯警報装置を動作させるための電池の金属外装を前記磁性材料として共用することもある。
【発明の効果】
【００１２】  本発明は、磁気センサにホールＩＣを採用することでマグネットを小型化でき、これにより窓の開閉だけでなくクレセント錠の施錠状態も検出可能であり、加えて一つのホールＩＣで広い磁気検出範囲を実現することで窓の左右どちら側にも取付け可能な防犯警報装置を安価に提供できる。
【発明を実施するための最良の形態】
【実施例】
【００１３】  図５は、本発明の防犯警報装置の具体的事例を示したものである。図５で３は磁気センサであるホールＩＣ、９は磁性体（例えば鉄片）、１０はプリント基板、１１はコイン型電池、１２は電池ホルダ、１３は警報音を発するブザーである。【００１４】  図６に示すように本発明では、一つのホールＩＣに磁性体である鉄片を近接して配置している。マグネットがホールＩＣ側に接近したときはマグネットの磁束が直接ホールＩＣに検出される。マグネットがホールＩＣの反対側に接近した場合マグネットの磁束は、鉄片に誘導されてホールＩＣに伝えられホールＩＣで検出することができる。【００１５】  図７に示したのは本発明のもう一つの具体的事例で、マグネットの磁束を誘導する鉄片の効果をコイン型電池の外装によって得るものである。【００１６】  本発明の防犯警報装置本体を図４に示したようにクレセント錠の近傍の窓ガラスに取付けた場合、窓が閉じていて且つクレセント錠が閉じた状態を施錠状態として管理できる。一方クレセント錠の近傍でも図９に示すように本発明の防犯警報装置本体を窓枠側に取付けた場合、窓の開閉に関係なくクレセント錠の開閉のみの施錠状態を管理できる、図８に示すようにマグネットを固定された窓枠に、防犯警報装置本体を窓ガラスに取付けると窓の開閉のみを管理できる。【００１７】  このように本発明の防犯警報装置は、設置場所の自由度が高いので一種類の装置で多様なセキュリティ管理に対応できるのが特長である。
【図面の簡単な説明】
【００１８】
【図１】リードスイッチの動作１
【図２】リードスイッチの動作２
【図３】ホールＩＣの動作
【図４】窓に取付けた例
【図５】本発明の実施例
【図６】本発明の原理
【図７】本発明の別の実施例
【図８】窓の開閉を検出する取付け例
【図９】クレセント錠の施錠のみを検出する取付け例
【符号の説明】
【００１９】      １  リードスイッチ
２  マグネット
３  ホールＩＣ
４  クレセント錠
５  防犯警報装置本体
６  固定窓
７  左側引き窓
８  右側引き窓
９  磁性体（鉄片）
１０  プリント基板
１１  コイン型電池
１２  電池ホルダ
１３  ブザー
【図１】
2011003167.tif 000003
【図２】
2011003167.tif 000004
【図３】
2011003167.tif 000005
【図４】
2011003167.tif 000006
【図５】
2011003167.tif 000007
【図６】
2011003167.tif 000008
【図７】
2011003167.tif 000009
【図８】
2011003167.tif 000010
【図９】
2011003167.tif 000011